(57)【要約】上面（５３）と底面（５２）を有するハウジング、該ハウジングはフィルタなどの光学素子（２６）の保持用の開口（３７）を有する、および、該ハウジングの底面（５２）に配置され、そこから延びる少なくとも１つの磁石（３９）、該磁石は鏡基組込み照明装置の一部に引き付けられるように配置される、を含む光学素子ホルダー（３３）を提供する。光学素子ホルダーと顕微鏡用光学素子の組合せは、フランジ式開口を有する環状ハウジングを有し、該ハウジングは上面と底面を有し、光学素子はフランジ式開口内に保持される、および、ハウジングの底面に少なくとも１つの磁石を有する。該光学素子ホルダーおよび鏡基組込み照明装置であって、該照明装置はいくらかの強磁性特性を有し、該ホルダーは、光学素子を保持する開口を有するハウジングと、該ハウジングに設置され、該照明装置（２５）の一部にホルダーを保持する少なくとも１つの磁石からなる。
2005534080.tif 000002
【特許請求の範囲】
【請求項１】
上面と底面を有するハウジング、ここに該ハウジングは光学素子の保持に有効に配置された開口を有する；および
該ハウジングの該底面に取り付けられ、該底面から伸びる少なくとも１つの磁石、ここに該磁石は該鏡基組み込み照明装置の一部に引き付けられるように配置されている、
以上の要素からなる、顕微鏡の鏡基組み込み照明装置用磁気光学素子ホルダー。
【請求項２】
該少なくとも１つの磁石が該ハウジングの該底面内の凹部から外方向に突き出している、請求項１に記載の磁気光学素子ホルダー。
【請求項３】
該少なくとも１つの磁石が該ハウジングの該底面内に凹んでいる、請求項１に記載の磁気光学素子ホルダー。
【請求項４】
該少なくとも１つの磁石が該ハウジングの該底面から最大ほぼ０．５ｍｍ突き出ている、請求項２に記載の磁気光学素子ホルダー。
【請求項５】
その中にフランジ式開口を有する環状ハウジング、ここに該ハウジングは上面と底面を有し、光学素子が該フランジ式開口内に保持されるように配置されている；および
該ハウジングの該底面に取り付けられた少なくとも１つの磁石；
からなる顕微鏡用光学素子と磁気光学素子ホルダーの組合せ。
【請求項６】
該光学素子が紫外線フィルタである、請求項５に記載の顕微鏡用光学素子と磁気光学素子ホルダーの組合せ。
【請求項７】
該光学素子が単色光フィルタである、請求項５に記載の顕微鏡用光学素子と磁気光学素子ホルダーの組合せ。
【請求項８】
該光学素子が位相差カラーフィルタである、請求項５に記載の顕微鏡用光学素子と磁気光学素子ホルダーの組合せ。
【請求項９】
顕微鏡の鏡基内に設置された照明装置、ここに該照明装置は少なくともいくらかの強磁性特性を有する；
光学素子を保持するよう配置された、その中に開口を有するハウジング、ここに該ハウジングは上面と底面を有する；  および
該ハウジングに取り付けられ、光学素子ホルダーを該照明装置の一部に保持するよう配置された少なくとも１つの磁石；からなる顕微鏡用照明装置と磁気光学素子ホルダーの組合せ。
【請求項１０】
該光学素子ホルダーハウジングが環形状であり、該開口が該光学素子を取り付けるようフランジ付きである、請求項９に記載の顕微鏡用照明装置と磁気光学素子ホルダーの組合せ。
【請求項１１】
該顕微鏡の鏡基が強磁性である、請求項９に記載の顕微鏡用照明装置と磁気光学素子ホルダーの組合せ。
【請求項１２】
顕微鏡の鏡基内に設置された強磁性照明装置を有する該顕微鏡；および
該照明装置マウントに固定されるように配置された磁気光学素子ホルダー；からなる顕微鏡アセンブリ。
【請求項１３】
該鏡基が強磁性である、請求項１２に記載の顕微鏡アセンブリ。
【請求項１４】
鏡基組み込み照明装置を有する顕微鏡；
該顕微鏡の光路内に光学素子を保持するように配置された光学素子ホルダー；および
該光学素子ホルダーを該照明装置に磁気的に固定する手段；
以上からなる顕微鏡アセンブリ。
【発明の詳細な説明】
【技術分野】
【０００１】
本発明は広義には顕微鏡観察方法、特に顕微鏡に関し、さらに具体的には顕微鏡用光学素子ホルダーに関する。
【背景技術】
【０００２】
広く知られているように、顕微鏡は微小物体の観察、調査、研究に使用される光学機器である。顕微鏡は多数の種類のものが存在し、それぞれの特定用途に最適化されている。これらには、複合顕微鏡、立体顕微鏡、共焦点顕微鏡、倒立顕微鏡、レーザ顕微鏡、蛍光顕微鏡、偏光顕微鏡などがある。本発明は、一般に複合顕微鏡に関し、従来の複合顕微鏡に見られるのと同じあるいは類似の光学配置を採用する顕微鏡に関する。
【０００３】
複合顕微鏡には、観察試料を照明するために種々の光線を提供する種々の着脱可能な部品がしばしば使用される。種々の光線を使用することにより、同じ機器を使用しても広範囲の観察が可能となる。このような部品として、紫外線など、特定の光を選択的に透過させる一方その他の光が観察対象に到達しないようにする光フィルタがある。
【発明の開示】
【発明が解決しようとする課題】
【０００４】
顕微鏡の光フィルタ、その他の着脱可能な部品の使用にともなう困難な点は、着脱が容易でなければならない一方、顕微鏡に確実に取り付けることができる必要があることである。ネジその他の固定具により固定された部品は、取り去ったり他の部品と交換することがしばしば困難で、不便である。しかし設置機構を設けなかったり最小限のもののみでは、かかる部品の突然の移動やずれが生じる場合があり、部品に損害を与える可能性がある。これは特に、限られた期間に多数の機器を使用する種々の訓練を受けなければならない不慣れな学生を使用者とする教育現場で問題となる。最後にフィルタなどの部品は、顕微鏡からしばしば取り外されるので、それらは置き間違えられることがあり、求められる観察の実施に支障をきたす場合がある。
【０００５】
本発明者以外にも顕微鏡のフィルタマウントを開示している。独特許出願ＤＥ１９７０２７５４は異なる波長での観察用の多数のフィルタを有するフィルタホイールであって、その個々のフィルタは機械的に及び／又は磁気手段により該フィルタホイールに固定されたキャリアに収納されるレーザ顕微鏡を開示する。しかしこの出願には磁気手段を使用して顕微鏡の鏡基の光路に光学素子を固定することについての開示はない。必要なのは、顕微鏡用光学素子の確実な取付用の装置の改良である。
【特許文献１】独特許出願ＤＥ１９７０２７５４
【課題を解決するための手段】
【０００６】
本発明は広義には、鏡基組み込み照明装置、顕微鏡の光路内に光学素子を保持するよう機能的に配置された光学素子ホルダー、および光学素子ホルダーを照明装置に磁力により固定する手段を有する顕微鏡からなる顕微鏡アセンブリからなる。本発明の光学素子ホルダーは上面と底面を有するハウジング、該ハウジングはフィルタその他の光学素子を保持するのに有効に配置された開口を有する、そしてハウジングの底面に配置され、該底面から延長する少なくとも１つの磁石、該磁石は、鏡基組み込み照明装置の一部に引き付けられるように配置されている、を有する。
【０００７】
本発明はまた、その中にフランジ式開口を有する環状ハウジング、該ハウジングは上面と底面を有し、該光学素子は該フランジ式開口内に保持されるように配置され、および、ハウジングの底面に配置された少なくとも１つの磁石を有する、顕微鏡用の光学素子および磁気光学素子ホルダーの組合せからなっている。
【０００８】
本発明はまた、顕微鏡の鏡基に設置された照明装置、該照明装置は少なくともいくらかの強磁性特性を有し、光学素子ホルダーは光学素子を保持するよう配置された開口をその中に有するハウジングからなり、該ハウジングは上面と底面を有する、および、該ハウジングに設置され、該ホルダーを該照明装置の一部に保持するよう配置された少なくとも１つの磁石を有する顕微鏡用照明装置と磁気光学素子ホルダーの組合せに関する。
【発明の効果】
【０００９】
広義の本発明の目的は、顕微鏡の鏡基の照明装置に脱着自在に設置された光学素子ホルダーの提供にある。
本発明の他の目的は、顕微鏡用光学素子ホルダー用の磁気的取付け装置の提供である。
さらなる本発明の目的は、使用中の光学素子の意図しない移動を防止する顕微鏡用光学素子ホルダー用の取付け装置の提供にある。
さらに別の目的は、使用していないときの磁気光学素子用の顕微鏡の鏡基中への便利な保管場所の提供にある。
本発明のこれらおよびさらなる目的、特徴および利益は、本発明の図面を参照しつつ本発明の以下の詳細説明を読むことにより当業者には容易に明らかになるであろう。
【発明を実施するための最良の形態】
【００１０】
本発明の本質および実施例は、添付図面を参照しつつ本発明を以下に詳細に説明される。最初に、異なる図面上の同じ番号は、本発明の同じ構成要素を示していると理解すべきである。本発明は好ましい具体例とされるものについて記載されているが、本発明は開示された具体例に限定されないと理解すべきである。
本発明は広義に、鏡基組み込み照明装置を有する顕微鏡、顕微鏡の光路内に光学素子を保持するように配置された光学素子ホルダー、および照明装置に光学素子ホルダーを磁気的に固定する手段を含む顕微鏡アセンブリからなっている。一般的複合顕微鏡の斜視図を図１に示す。多種の顕微鏡、その他の光学機器に本発明は好適であるが、本発明を理解するのに、基本的な顕微鏡の構造と機能について検討することは有益である。
【実施例】
【００１１】
図１は複合顕微鏡１０を示す。この顕微鏡は、鏡基１２と接眼レンズ／対物レンズを有するプラットフォーム１３を有するスタンド１１を有している。鏡筒１４は設置プラットフォーム１３の上面に設置される。示された図の例では、鏡筒は双眼であり、アイチューブ２９に設けられた２つのアイピース１５を有する。この鏡筒は本発明とは無関係で、本発明はいかなる種類の鏡筒（単眼、双眼、三眼、ビデオその他）で構成された顕微鏡との使用にも適している。対物レンズ１６はタレット３１に設置され、ノーズピース３２に回転可能に設置され、それはプラットフォーム１３の底面に設置されている。本顕微鏡はその上に観察試料が置かれるステージ１８を有する。試料はスライド２１上に置かれ、メカニカルステージ１９により保持される。照明装置２５は顕微鏡１０の鏡基１２内に設置される。照明装置は広く知られているように試料を照明する調節可能な光源となる。本発明のいくつかの図ではケーラー（Ｋｏｅｈｌｅｒ）型照明装置が示されているが、本発明は他の照明装置の構成においても同様に使用に適している。照明装置は電源スイッチ２２により点灯される。照明装置からの光はビームとなって上方に進みコンデンサー２８を通過し、それは光を集め、焦点を結ばせるよう機能する。光源に加えて照明装置は、レバー３５（図２および図３に示す）により調整されるとき、光を調整するために虹彩を開閉する多数の連結する葉片からなる虹彩絞り（図７に部分断面図として示される）を有する。ノブ２３は粗動焦点調整をし、ノブ２４は微動焦点調整をする。
【００１２】
図１に見られるように、本発明の光学素子ホルダー３３は、顕微鏡の鏡基の照明装置２５の上に設置される。
照明装置と光学素子ホルダーアセンブリが図２の拡大部分斜視図に示されている。照明装置２５は照明装置ハウジング（下部マウント）３４および虹彩ハウジング（上部マウント）３６を有する。（照明装置の光源は顕微鏡の鏡基内に置かれているが、本発明とは特に関係がないので示されていない。）繰り返すが、虹彩はスロット５６内を横方向に滑動するレバー３５により制御される。図２中、ホルダー３３はフィルタ２６を保持して示されているが、それは紫外線（ＵＶ）フィルタ、色フィルタ、位相差フィルタその他の種々のフィルタのいずれであってもよい。このホルダーはフィルタ以外の他の光学機器の光学素子の保持の使用にも適している。具体例において、ホルダー３３は中央円形開口３７（図４に示す）を有する環状リングとして示されている。この開口は図２および図７に示されたフランジ５５を有し、それは光学素子２６を支え、保持するよう機能する。好ましくは光学素子２６は、ノードランド（ＴＭ）６１ブランドのセメントなどのＵＶ硬化接着剤によりフランジ式開口３７に保持されるが、その他の適当な接着剤も当業者には知られている。光学素子ホルダーは好適例では環状であるが、本願請求項においてはそれに限定されず、円形、楕円形、直線形など、いかなる形状のホルダーであってもよい。
【００１３】
図３は照明装置の虹彩ハウジング（上部マウント）３６の上面５３を示すためにホルダー３３を除いた他は図２と同様の斜視図である。この図は虹彩ハウジングと照明装置ハウジング（下部マウント）３４を顕微鏡鏡基１２に固定するマウンティングネジ３８も示している。好適例では、このネジは面５３の下に凹んでおり、このネジは強磁性物質で作られている。しかしネジが凹んでいることは好ましいのであるが、必須ではない。
【００１４】
ホルダー３３が図４の分解斜視図に示されている。この図にあるように、光学素子２６は下側からフランジ式開口３７内に設置される。この図はホルダー３３（図６および図８に示す）の凹部４１内に設置された磁石３９も示している。組み立てられたホルダーが図５の斜視図に示されている。このホルダーは図６の底面斜視図に示されている。この図は磁石３９をさらにはっきりと示し、ホルダー３３の底部取付面５２も示している。図６は光学素子２６の下側も示している。好適例では２個の磁石が使用されているが、いかなる数の適当な磁石でも使用しうることは当業者には明らかである。適当な磁石はネオジウム磁石であり、ニューヨーク州ロチェスターのロチェスター・マグネット・カンパニーから入手可能である。磁石は当業者に公知のエポキシその他の接着剤を用いて固定可能である。
【００１５】
図７は本発明の磁気光学素子ホルダーの分解断面図であり、ホルダー内に置かれた光学素子と共に、顕微鏡の照明装置の上に設置され、この図は図２の線７−７に沿った断面である。この図は虹彩ハウジング３６の上面５３と同一平面接触するホルダー３３の底面を示す。この図はまたどのように磁石３９がネジ３８と、より詳細にはネジ３８のヘッド４２（図８に示す）と、整列し、引きつけるかを示している。図８に見るように、ネジ３８はヘッド４２とネジ本体部分４３を有し、虹彩ハウジング３６を照明装置ハウジング３４と顕微鏡の鏡基１２に固定するように機能する。好適例では、ネジは虹彩ハウジング３６の上面の下に凹み、このネジは強磁性物質で作られている。この断面図は、本発明とは特に関係ないのであるが、レンズ４５，保持具４６，保持ネジ４８，虹彩葉片４９および照明装置カバーグラス５１などの顕微鏡の照明装置の他の素子も示している。
【００１６】
図８は図７に示すアセンブリの左上部分の拡大図である。この図は好適例において、ホルダー３３の凹部４１内に固定された磁石は、ホルダーが正しく配置されたとき、ネジ３８と接触しないことをはっきりと示している。そして磁石３９とネジ３８のヘッド４２の間に空隙４４が存在する。この構造は、ホルダー／虹彩ハウジング境界面は１つの機械加工表面であるので、好ましく、フィルタを光ビーム中に配置するのに重要である。もし磁石のネジのヘッドとの接触を許すと、磁石据え付け許容誤差とネジトルクは、ホルダーの虹彩ハウジングとの正しい配置の確保にずっと高い精度が必要となる。
【００１７】
磁石３９はホルダー３３の底面５２と同一平面上に設置することができるが、磁石３９は図７および図８に示すようにホルダー３３の凹部４１に設置するのが好ましい。図８に見られるように、凹部４１は好ましくは磁石３９がホルダー３３の底面５２を越えて突き出すような深さを有する。好適例においては、磁石は表面５２から約０．５５ｍｍ突き出す。この突き出しは顕微鏡に設置されたときの、光学素子の確実な設定を助け、ホルダーが回転しないようにする。好適例において、磁石３９は少なくとも１滴のデブコンゲル（Ｄｅｖｃｏｎ（登録商標）  Ｇｅｌ）などのプラスチックー金属接着剤で凹部に固定される。
【００１８】
図９は図１に示す顕微鏡の底面図である。顕微鏡の鏡基１２が、表面から鏡基を持ち上げる足５８、および光源の点検等のために取り外し可能なドア６０を含めて示されている。好適例において、顕微鏡の鏡基、またはその一部は強磁性体であり、本発明の光学素子ホルダーに便利な保管場所を提供する。図９に示すように、光学素子ホルダー３３は安全な場所である顕微鏡鏡基の底部にしっかりと使い易く固定される。
【００１９】
記載した具体例において、光学素子ホルダーの基部に固定された磁石は照明装置中の強磁性体のネジに引き付けられる（強磁性体とは磁力に引きつけられる全ての物質を意味すると定義している）。しかし磁石は強磁性体物質と置換可能であり、ネジを磁石とすることができる。または代わりに、基部全体またはその一部を強磁性物質で製造することができ、照明装置の部分も同様である。
【産業上の利用可能性】
【００２０】
従って、本発明の目的は効率的に達成され、本発明への変更および修正は当業者には容易に明らかであるが、かかる変更等は本発明の特許請求の範囲に含まれると解釈される。例えば、本発明は複合顕微鏡との組合せで示されているが、本発明は種々の型の顕微鏡と共に、およびその他の光学装置および機器と共に、使用するのに適している。また本発明の１つの具体例に、２つの正反対の位置に配置された磁石がホルダーを顕微鏡の鏡基に固定するために使用されている。明らかに２個以上の磁石を使用することができ、広い範囲の形状および位置に配置することができる。また１つの磁石で同じ機能を得ることも可能である。例えば、環状の磁石をホルダーの下側に固定し、対応する環状の取付用溝を鏡基に設置することができる。フィルタが光路に対して正しく配置され位置づけられる限り、いかなる数の取付用磁石手段をも採用することができる。
ハウジング外または可能な限りハウジング側端部に近い位置からイメージを入力するという目的を、最小の部品点数で、光学系構成部品の厚みを損なわずに実現した。
【図面の簡単な説明】
【００２１】
【図１】本発明の磁気光学素子ホルダーを使用可能な代表的な複合顕微鏡の斜視図である。
【図２】照明装置上に設置された光学素子ホルダーを有する、図１の顕微鏡の照明装置の部分斜視図である。
【図３】照明装置の基台を見るために光学素子ホルダーを取り外したときの図２と同様の図である。
【図４】本発明の光学素子ホルダーの分解斜視図である。
【図５】ホルダー内に設置された光学素子（フィルタ）と共に示された、本発明の光学素子ホルダーの平面斜視図である。
【図６】図５に示す光学素子ホルダーの底面斜視図である。
【図７】図２の線７−７に沿って切り取られた、ホルダー内に置かれた光学素子と共に、顕微鏡の照明装置上に設置されて示された、本発明の磁気光学素子ホルダーの部分断面図である。
【図８】磁石／ネジヘッドの接点の詳細を示すために拡大された図７に示すアセンブリの左上部分の拡大図である。
【図９】顕微鏡鏡基の底面に磁気的に据え付けられた光学素子ホルダーを図示する、図１に示す顕微鏡の底面図である。
【符号の説明】
【００２２】
１０・・・顕微鏡、１１・・・スタンド、１２・・・鏡基、１３・・・プラットフォーム、１４・・・鏡筒、１５・・・アイピース、１６・・・対物レンズ、１８・・・ステージ、１９・・・メカニカルステージ、２１・・・スライド、２２・・・電源スイッチ、２３，２４・・・ノブ、２５・・・照明装置、２６・・・光学素子、２８・・・コンデンサー、２９・・・アイチューブ、３１・・・タレット、３２・・・ノーズピース、３３・・・光学素子ホルダー、３４・・・照明装置ハウジング、３５・・・レバー、３６・・・虹彩ハウジング、３７・・・開口、３８・・・ネジ、３９・・・磁石、４２・・・ネジヘッド、４４・・・空隙、４５・・・レンズ、４６・・・保持具、４８・・・保持ネジ、４９・・・虹彩葉片、５１・・・カバーグラス、５２・・・底部取付面、５３・・・上面、５５・・・フランジ、６０・・・ドア
【図１】
2005534080.tif 000003
【図２】
2005534080.tif 000004
【図３】
2005534080.tif 000005
【図４】
2005534080.tif 000006
【図５】
2005534080.tif 000007
【図６】
2005534080.tif 000008
【図７】
2005534080.tif 000009
【図８】
2005534080.tif 000010
【図９】
2005534080.tif 000011
【国際調査報告】
2005534080.tif 000012